(57)【要約】【課題】表示面の温度分布を特定することができる表示装置を提供する。【解決手段】表示装置は、画像を表示する表示部１０１と、表示部１０１の表示面１０１ａに沿うＸ方向に並んで設けられる複数の電極１０２，１０３と、複数の電極１０２，１０３の電気抵抗値を検出する検出部と、複数の電極１０２，１０３の各々の電気抵抗値に基づいて表示面１０１ａの温度分布を特定する特定部と、を備え、電極１０２，１０３は、Ｙ方向の形状にテーパーがつけられており、複数の電極１０２，１０３は、テーパーによる先細り側がＹ方向に沿う一方側に向かう電極１０２と先細り側が一方側の反対側に向かう電極１０３とを有し、電極１０２と電極１０３とがＸ方向に交互に並んで設けられる。【選択図】図２
2016018188.tif 000002
【特許請求の範囲】
【請求項１】
画像を表示する表示部と、
前記表示部の表示面に沿う第１方向に並んで設けられる複数の電極と、
前記複数の電極の電気抵抗値又は前記電気抵抗値に応じた電圧若しくは電流を検出する検出部と、
前記複数の電極の各々の前記電気抵抗値又は前記電気抵抗値に応じた電圧若しくは電流に基づいて前記表示面の温度分布を特定する特定部と、を備え、
前記電極は、前記表示面に沿い、かつ、前記第１方向に直交する第２方向の形状にテーパーがつけられており、
前記複数の電極は、前記テーパーによる先細り側が前記第２方向に沿う一方側に向かう第１電極と前記先細り側が前記一方側の反対側に向かう第２電極とを有し、前記第１電極と前記第２電極とが前記第１方向に交互に並んで設けられる
表示装置。
【請求項２】
前記複数の電極は、前記第２方向に沿う形状が一様である参照電極を有し、
前記参照電極は、前記第１方向に並んで設けられる前記第１電極と前記第２電極の間に配置される
請求項１に記載の表示装置。
【請求項３】
前記表示面で所定温度以上になった箇所がある場合に所定のコマンドを実行する実行部を備える
請求項１又は２に記載の表示装置。
【請求項４】
前記表示面で前記所定温度以上になった箇所が前記表示面の一部の領域である指定領域内であるか否か判定する判定部を備え、
前記実行部は、前記表示面で所定温度以上になった箇所が前記指定領域内である場合に前記表示部による画像の表示を終了させるコマンドを実行する
請求項３に記載の表示装置。
【請求項５】
前記複数の電極は、前記表示部内に設けられた透明電極である
請求項１又は２に記載の表示装置。
【発明の詳細な説明】
【技術分野】
【０００１】
本発明は、表示装置に関する。
【背景技術】
【０００２】
表示装置として一般的な液晶ディスプレイは、温度により動作時の応答特性が変化する。このため、液晶ディスプレイの周囲の温度を検出する温度センサにより検出された温度に応じた液晶ディスプレイの動作制御を行う方法が知られている（例えば特許文献１）。
【先行技術文献】
【特許文献】
【０００３】
【特許文献１】特開２０１１−０９９８７９号公報
【発明の概要】
【発明が解決しようとする課題】
【０００４】
ところで、液晶ディスプレイは、液晶の特性上、表示領域内で所定以上の高温に達した部分が生じると、その部分で表示不良が起こる可能性がある。例えば、太陽光の照射等により液晶ディスプレイの一部又は全部が１００℃を超えると、その部分の表示内容が乱れる又は表示ができなくなる等の表示不良が起こる可能性がある。このような温度による問題に係り、液晶ディスプレイの表示面の温度分布を特定したいという要望がある。しかしながら、特許文献１に記載の方法では、表示面の温度分布を特定することができなかった。
【０００５】
本発明は、上記の課題に鑑みてなされたもので、表示面の温度分布を特定することができる表示装置を提供することを目的とする。
【課題を解決するための手段】
【０００６】
本発明の一態様による表示装置は、画像を表示する表示部と、前記表示部の表示面に沿う第１方向に並んで設けられる複数の電極と、前記複数の電極の電気抵抗値又は前記電気抵抗値に応じた電圧若しくは電流を検出する検出部と、前記複数の電極の各々の前記電気抵抗値又は前記電気抵抗値に応じた電圧若しくは電流に基づいて前記表示面の温度分布を特定する特定部と、を備え、前記電極は、前記表示面に沿い、かつ、前記第１方向に直交する第２方向の形状にテーパーがつけられており、前記複数の電極は、前記テーパーによる先細り側が前記第２方向に沿う一方側に向かう第１電極と前記先細り側が前記一方側の反対側に向かう第２電極とを有し、前記第１電極と前記第２電極とが前記第１方向に交互に並んで設けられる。
【０００７】
さらに、他の一態様として、前記複数の電極は、前記第２方向に沿う形状が一様である参照電極を有し、前記参照電極は、前記第１方向に並んで設けられる前記第１電極と前記第２電極の間に配置されてもよい。
【０００８】
さらに、他の一態様として、前記表示面で所定温度以上になった箇所がある場合に所定のコマンドを実行する実行部を備えてもよい。
【０００９】
さらに、他の一態様として、前記表示面で前記所定温度以上になった箇所が前記表示面の一部の領域である指定領域内であるか否か判定する判定部を備え、前記実行部は、前記表示面で所定温度以上になった箇所が前記指定領域内である場合に前記表示部による画像の表示を終了させるコマンドを実行してもよい。
【００１０】
さらに、他の一態様として、前記複数の電極は、前記表示部内に設けられた透明電極であってもよい。
【図面の簡単な説明】
【００１１】
【図１】図１は、第１実施例による表示装置の主要機能に係る構成を示すブロック図である。
【図２】図２は、複数の電極の形状及び配置例を示す図である。
【図３】図３は、表示面内の指定領域の一例を示す図である。
【図４】図４は、第１実施例の表示面における温度のむらと複数の電極の電気抵抗値の検出結果との対応関係の例を示す図である。
【図５】図５は、テーパー構造を有さず、Ｙ方向について一様な形状を有する電極のみがＸ方向に並んで設けられる比較例の表示面における温度のむらと複数の電極の電気抵抗値の検出結果との対応関係の例を示す図である。
【図６】図６は、表示面の温度分布の特定及び特定後の処理の流れの一例を示すフローチャートである。
【図７】図７は、参照電極を有する複数の電極の形状及び配置例を示す図である。
【図８】図８は、第２実施例の表示面における温度のむらと複数の電極の電気抵抗値の検出結果との対応関係の例を示す図である。
【図９】図９は、本発明の表示装置が適用されるヘッドアップディスプレイを示す概略図である。
【図１０】図１０は、タッチ検出機能付き表示装置の主要機能に係る構成を示すブロック図である。
【図１１】図１１は、本発明の実施の形態に係るタッチ検出機能付き表示部の一構成例を表すものである。
【図１２】図１２は、図１１の要部（部分Ｂ１）の断面構造の例を表すものである。
【図１３】図１３は、タッチ検出電極に対する電気的接続の構成の一例を示す図である。
【図１４】図１４は、本発明の表示装置が適用される車載表示装置の外観の一例を示す図である。
【図１５】図１５は、本発明の表示装置が適用されるスマートフォンの外観の一例を示す図である。
【発明を実施するための形態】
【００１２】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
まず、図１〜図８を参照して、本発明の第１実施例について説明する。以下の説明において、表示面１０１ａに沿う所定の一方向をＸ方向とし、この平面に沿い、かつ、Ｘ方向に直交する方向をＹ方向とし、Ｘ方向及びＹ方向に直交する方向をＺ方向とする。
【００１４】
図１は、第１実施例による表示装置１００の主要機能に係る構成を示すブロック図である。図１に示すように、表示装置１００は、表示部１０１と、複数の電極１０２，１０３と、印加部１１０と、検出部１２０と、制御部１３０とを備える。
【００１５】
表示装置１００は、例えばマトリクス方式の液晶ディスプレイである。具体的には、表示装置１００は、画素電極が配置される画素基板と、画素基板と液晶を挟み込むように設けられる対向基板とが積層された積層基板（例えばガラス基板）を有する。表示部１０１は、この積層基板に存する。印加部１１０、検出部１２０及び制御部１３０は、例えばこれらの積層基板にフレキシブルプリント基板（ＦＰＣ）等を介して接続された外部の基板上に設けられた回路として実装される。
【００１６】
図２は、複数の電極１０２，１０３の形状及び配置例を示す図である。図２に示すように、複数の電極１０２，１０３は、表示部１０１の表示面１０１ａに沿う第１方向（例えばＸ方向）に並んで設けられる。具体的には、電極１０２，１０３は、例えば、Ｘ方向に並列し、長手方向がＹ方向に沿う電極である。第１実施例では、電極１０２，１０３はそれぞれ複数設けられる。電極１０２，１０３は、表示部１０１の表示面１０１ａに沿い、かつ、第１方向に直交する第２方向（例えばＹ方向）の形状にテーパーがつけられている。「第２方向の形状にテーパーがつけられている」とは、第２方向に沿った一方から他方に向かって先細りになる形状が形成されている」ことをさす。具体的には、例えば電極１０２，１０３は、長手方向がＹ方向に沿う薄膜状の電極である。電極１０２は、図２に示すように、方形状の表示部１０１の一辺１０１ｂ側（図２に示す上辺側）が先細りになった台形状の形状を有する。電極１０３は、方形状の表示部１０１の一辺１０１ｂに対向する辺１０１ｃ側（図２に示す下辺側）が先細りになった台形状の形状を有する。このように、複数の電極１０２，１０３は、テーパーによる先細り側が第２方向（例えばＹ方向）に沿う一方側（例えば図２における上側）に向かう第１電極（例えば電極１０２）と、先細り側が一方側の反対側（例えば図２における下側）に向かう第２電極（例えば電極１０３）とを有する。また、図２に示すように、電極１０２と電極１０３とは、Ｘ方向について交互に配置されている。すなわち、第１電極（例えば電極１０２）と第２電極（例えば電極１０３とが第１方向（例えばＸ方向）に交互に並列している。
【００１７】
複数の電極１０２，１０３は、表示部１０１内に設けられた透明電極である。具体的には、電極１０２，１０３は、例えば酸化インジウムスズ（Indium  Tin  Oxide：ＩＴＯ）のような透光性を有する導体により構成されるが、これは電極１０２，１０３の素材の一例であってこれに限られるものでなく適宜変更可能である。電極１０２，１０３は、例えばＹ方向の両端に配線Ｌが接続される。この配線Ｌは、電極１０２，１０３と印加部１１０及び検出部１２０とを接続する。
【００１８】
印加部１１０は、複数の電極１０２，１０３に電気信号を印加する。具体的には、印加部１１０は、例えば、所定のパルス信号を電気信号として電極１０２，１０３に出力する回路及びこの回路によるパルス信号の出力の有無を切り替えるコントローラ等を有する。印加部１１０は、電極１０２，１０３と電気的に接続され、パルス信号を電極１０２，１０３に出力する。
【００１９】
検出部１２０は、電気信号により生じる複数の電極１０２，１０３の電気的変化を検出する。具体的には、検出部１２０は、例えば複数の電極１０２，１０３の各々の電気抵抗値を測定する回路である。検出部１２０は、印加部１１０により印加されたパルス信号に応じて電極１０２，１０３に流れた電流値又は電極１０２，１０３の電圧値に基づいて、電極１０２，１０３の電気抵抗値を測定する。印加部１１０及び検出部１２０は、例えば接続される電極１０２，１０３を切り替えるスイッチを介して複数の電極１０２，１０３と接続されるが、一例であってこれに限られるものでない。複数の電極１０２，１０３の各々に個別に印加部１１０及び検出部１２０を設けてもよい。
【００２０】
制御部１３０は、表示装置１００の各部の動作を制御する。具体的には、制御部１３０は、記憶部１３１と、演算部１３２とを有する。記憶部１３１は、プログラム１４１及び温度モデルデータ１４２を記憶する記憶装置である。プログラム１４１には、表示部１０１の各部の動作を制御するためのプログラムの他、検出部１２０により検出された電気的変化が示す複数の電極の温度に基づいてコマンドを実行するためのプログラムが含まれる。温度モデルデータ１４２は、電極１０２，１０３の電気抵抗値と電極１０２，１０３の温度との関係を示すデータである。温度モデルデータ１４２を用いることで、電極１０２，１０３の電気抵抗値から電極１０２，１０３の温度を求めることができる。より具体的に言えば、温度モデルデータ１４２は、ある一つの電極の電気抵抗値がある電気抵抗値（例えば所定の範囲内の電気抵抗値）である場合に、この一つの電極に隣接する他の電極の電気抵抗値に応じて当該一つの電極がある温度（例えば所定の範囲内の温度又は所定の温度以下の温度）であることを示すデータである。
【００２１】
導体は、温度の上昇に応じて電気抵抗値が高くなる。このため、表示部１０１の温度が上がることで表示部１０１に設けられた電極１０２，１０３の温度が上がると、電極１０２，１０３の電気抵抗値が上がる。ここで、表示面１０１ａにおける温度分布にむらがある場合、電極１０２，１０３の各々の電気抵抗値はそれぞれ異なる変化を示す。具体的には、上記のように、複数の電極１０２，１０３はＸ方向に並列している。このため、Ｘ方向について温度のむらがある場合、温度がより高い部分に位置する電極の電気抵抗値がより高くなる。また、Ｙ方向について温度のむらがある場合、電極１０２，１０３の各々の長手方向（Ｙ方向）において温度のむらが生じる。ここで、電極１０２，１０３はＹ方向についてテーパー構造を有する。このため、例えば温度上昇時にＹ方向について温度のむらが生じた場合、テーパー構造によりＸ方向についてより幅が大きい部分の温度が上がる電極と、より幅が小さい部分の温度が上がる電極とが生じる。この場合、より幅が大きい部分の温度が上がった電極は、より幅が小さい部分の温度が上がった電極に比して、温度の上昇に伴う電気抵抗値の高まりの度合いがより大きくなる。すなわち、表示面１０１ａのＹ方向について温度上昇に伴う温度のむらがある場合、Ｘ方向について交互に配置されることで隣接する電極１０２，１０３いずれか一方には、より幅の大きい部分の温度が上がることによる電気抵抗値の顕著な高まりが生じる。一方、他方は、より幅の小さい部分の温度が上がり、より幅の大きい部分の温度が上がらない。このため、他方の電気抵抗値の高まりの度合いは一方に比してより小さくなる。隣接する電極１０２，１０３の電気抵抗値の差は、表示面１０１ａにおいて温度が高い部分がＹ方向についてどの位置にあるかに応じる。表示面１０１ａのＹ方向の両端（図２に示す上下端）により近い部分の温度が局所的に高い場合、隣接する電極１０２，１０３の電気抵抗値の差はより大きくなる。
【００２２】
上記のように、Ｘ方向及びＹ方向の温度分布に応じて変化する電極１０２，１０３の電気抵抗値に基づいて、表示面１０１ａの温度分布を特定することができる。具体的には、表示面１０１ａが有する熱量の大小に応じて、全ての電極１０２，１０３の電気抵抗値の平均が上下する。また、Ｘ方向の温度のむらに応じて、相対的に電気抵抗値が高い電極１０２，１０３の組み合わせと相対的に電気抵抗値が低い電極１０２，１０３の組み合わせとが生じる。そして、Ｙ方向の温度のむらに応じて、電極１０２，１０３の組み合わせにおいて幅がより大きい部分の温度が相対的に高いことにより電気抵抗値がより高くなった電極（電極１０２又は１０３）が生じる。同時に、この電極に比して幅がより小さい部分の温度が相対的に高いことにより、この電極に比して相対的に電気抵抗値が低い電極（電極１０２又は１０３）が生じる。これらの現象の発生を踏まえて、表示面１０１ａの温度分布と複数の電極１０２，１０３の各々の電気抵抗値との関係を対応付けたデータを作成し、温度モデルデータ１４２として記録（例えば記憶部１３１に記憶）する。これにより、複数の電極１０２，１０３の電気抵抗値を検出することで、検出された電気抵抗値に対応する温度モデルデータ１４２を特定することで、表示面１０１ａの温度分布を特定することができる。
【００２３】
なお、温度が下がった場合、電気抵抗値は低くなる。この場合についても、温度分布のむらにより、複数の電極１０２，１０３の温度及びこれに追従する電気抵抗値の変化にむらが生じる。よって、表示面１０１ａの温度の上昇、下降を問わず、複数の電極１０２，１０３の電気抵抗値と温度モデルデータ１４２を用いることで表示面１０１ａの温度分布を特定することができる。
【００２４】
このように、制御部１３０は、プログラム１４１を実行し、検出部１２０により検出された電極１０２，１０３の電気抵抗値及び温度モデルデータ１４２を用いることで、複数の電極１０２，１０３の各々の電気抵抗値から複数の電極１０２，１０３の各々の温度を特定し、特定された温度に基づいたコマンドを実行することができる。具体的には、演算部１３２は、記憶部１３１からプログラム１４１を読み出して実行処理することで、特定部１３５、実行部１３６及び判定部１３７として機能する。特定部１３５は、検出部１２０により検出された電気的変化（電気抵抗値）に対応する表示面１０１ａの温度分布を特定するための演算を行う。実行部１３６は、表示面１０１ａで所定温度以上になった箇所がある場合に所定のコマンドを実行する。具体的には、実行部１３６は、例えば特定部１３５により特定された表示面１０１ａの温度分布において、所定温度以上である箇所がある場合、判定部１３７による判定を行うためのコマンド（判定コマンド）を実行する。判定部１３７は、表示部１０１の表示面１０１ａで所定温度以上になった箇所が表示面１０１ａ内の一部の領域である指定領域１０１ｇ内であるか否か判定する。
【００２５】
図３は、表示面１０１ａ内の指定領域１０１ｇの一例を示す図である。表示部１０１は、表示面１０１ａ内の領域（表示領域）に画像を表示出力する。指定領域１０１ｇは、表示領域内に設定された一部の領域である。判定部１３７は、演算部１３５の演算結果に基づいて、所定温度以上である箇所（例えば図３に示すスポットＡ１）が、図３に示すような指定領域１０１ｇ内であるか否か判定する。ここで、所定温度以上である箇所が指定領域１０１ｇ内であると判定された場合、実行部１３６は、表示部１０１による画像の表示を終了させるための表示終了コマンドを実行する。表示終了コマンドが実行された場合、表示部１０１は、例えば動作を終了することで表示部１０１による画像の表示を終了する。
【００２６】
特定部１３５は、必ずしも表示面１０１ａ全体の温度分布を特定するための演算を行う必要がない。特定部１３５は、「表示面１０１ａで所定温度以上になった箇所があるか否か」の判定を、表示面１０１ａで所定温度以上になった箇所がある場合に電極１０２，１０３の最小限の組み合わせが示す電気抵抗値のパターン（例えば隣接する１つの電極１０２と１つの電極１０３との組み合わせが示す電気抵抗値φ、κの組み合わせ）に基づいて行ってもよい。これは、表示面１０１ａのいずれかの箇所が所定温度以上になった場合、いずれかの電極１０２，１０３の組み合わせが必ずこの電気抵抗値の組み合わせ以上の高い電気抵抗値をそれぞれ示すという事前の測定結果に基づく。このパターンよりも高い電気抵抗値を示す電極１０２，１０３の組み合わせがない場合、表示面１０１ａ内に所定温度以上の箇所は存しないとみなされる。一方、このパターンよりも高い電気抵抗値を示す電極１０２，１０３の組み合わせがある場合、特定部１３５は、表示面１０１ａ内に所定温度以上の箇所があるとみなす。この場合、実行部１３６は、判定コマンドを出力する。判定部１３７は、演算部１３５に表示面１０１ａの温度分布を特定するための演算を行わせる。この演算においても、一度にＸ方向及びＹ方向の両方について温度分布を特定するための演算を行う必要はない。まず、演算部１３５は、Ｘ方向についてどの電極１０２，１０３の組み合わせに対応する箇所が所定温度以上であるのかを特定する。この時点で、特定された所定温度以上の箇所が指定領域１０１ｇ外であることが確定したならば、判定部１３７は、この時点で演算部１３５による演算を終了させるとともに、所定温度以上である箇所が指定領域１０１ｇ外であることを示す情報を実行部１３６に渡す。この場合、実行部１３６は、それ以上のコマンドを出力しない。一方、この箇所のＸ方向の位置が指定領域１０１ｇのＸ方向の領域内である場合、演算部１３５は、Ｙ方向について所定温度以上である位置を特定する。判定部１３７は、特定された位置が指定領域１０１ｇ内であるか否か判定し、判定結果を示す情報を実行部１３６に渡す。実行部１３６は、特定された位置が指定領域１０１ｇ内である判定結果を示す情報が渡された場合、表示終了コマンドを出力する。このように、段階的に演算を行うことで、演算部１３５による演算量を必要最小限にすることができる。なお、指定領域１０１ｇは、表示面１０１ａ内における任意の領域として設定可能である。
【００２７】
所定温度は、例えば表示部１０１で用いられている液晶のネマチック−アイソロトピック転移温度であるが、これは所定温度の一例であってこれに限られるものでなく、適宜変更可能である。表示面１０１ａにおいてこれ以上温度が上がると表示部１０１の動作に支障をきたしかねない高い温度を所定温度とし、この所定温度に応じて実行部１３６に表示終了コマンドを出力させることで、表示に異常が現れることを抑止することができる。
【００２８】
次に、図４を参照して、第１実施例の表示面１０１ａにおける温度のむらと複数の電極１０２，１０３の電気抵抗値の検出結果との対応関係の例について説明する。図４では、区別の為に電極１０２のうち左の電極１０２から順に１０２ａ，１０２ｂ，１０２ｃ，１０２ｄの符号を付している。また、電極１０３のうち左の電極１０３から順に１０３ａ，１０３ｂ，１０３ｃ，１０３ｄの符号を付している。例えば、図４の下段に示す円状のスポットＡ２は、Ｘ方向について表示面１０１ａの中央に位置するとともに、Ｙ方向について下側の辺１０１ｃ側に寄った位置に存する。表示面１０１ａ内でスポットＡ２の温度が表示面１０１ａの他の部分より高い温度である場合、複数の電極１０２，１０３の各々の電気抵抗値の高低の関係は、図４の上段のようになる。すなわち、スポットＡ２に一部分が含まれる４つの電極１０２ｂ，１０２ｃ，１０３ｂ，１０３ｃの電気抵抗値は、スポットＡ２に全く含まれない他の電極１０２ａ，１０２ｄ，１０３ａ，１０３ｄに比して高くなる。このうち、テーパー構造によって幅が相対的に大きい部分がスポットＡ２に含まれる２つの電極１０２ｂ，電極１０２ｃの電気抵抗値はより高くなる。一方、テーパー構造によって幅が相対的に小さい部分がスポットＡ２に含まれる２つの電極１０３ｂ，電極１０３ｃの電気抵抗値は、電極１０２ｂ，電極１０２ｃに比して低くなる。さらに、２つの電極１０２ｂ，電極１０２ｃのうち、スポットＡ２に含まれる電極の面積がより大きい電極１０２ｂの電気抵抗値は、電極１０２ｃの電気抵抗値に比してより高くなる。同様に、２つの電極１０３ｂ，電極１０３ｃのうち、スポットＡ２に含まれる電極の面積がより大きい電極１０３ｂの電気抵抗値は、電極１０３ｃの電気抵抗値に比してより高くなる。このように、複数の電極が、テーパーによる先細り側が一方側に向かう第１電極（例えば電極１０２）と先細り側がこの一方側の反対側に向かう第２電極（例えば電極１０３）とが交互に並んで設けられることで、スポットＡ２の位置に応じた複数の電極の電気抵抗値を検出することができる。すなわち、この電気抵抗値に基づいて、表示面１０１ａの温度分布を特定することができる。
【００２９】
なお、電極１０２と電極１０３とは、必ずしも同一形状である必要はないが、同一形状とすることで、図４のように、同一温度条件下での電気抵抗値を等しくすることができる。これにより、同一温度条件下にある電極１０２，１０３をより容易に把握することができるようになる。
【００３０】
比較例として、図５を参照して、テーパー構造を有さず、Ｙ方向について一様な形状を有する電極１０５ａ〜１０５ｈのみがＸ方向に並んで設けられる場合について説明する。図５の下段に示すスポットＡ２の位置は、図４に示すスポットＡ２の位置と同様である。図５の下段に示すように、Ｙ方向について一様な形状を有する電極１０５ａ〜１０５ｈのみがＸ方向に並んで設けられる場合、複数の電極１０５の各々の電気抵抗値の高低の関係は、図５の上段のようになる。すなわち、スポットＡ２に一部分が含まれる４つの電極１０５ｃ，１０５ｄ，１０５ｅ，１０５ｆの電気抵抗値は、スポットＡ２に全く含まれない他の電極１０５ａ，１０５ｂ，１０５ｇ，１０５ｈに比して高くなる。しかしながら、４つの電極１０５ｃ，１０５ｄ，１０５ｅ，１０５ｆの電気抵抗値は全て同じである。４つの電極１０５ｃ，１０５ｄ，１０５ｅ，１０５ｆの電気抵抗値は、Ｙ方向についてスポットＡ２がどこにあっても変わらない。すなわち、Ｙ方向について一様な形状を有する電極１０５ａ〜１０５ｈのみがＸ方向に並んで設けられる場合、スポットＡ２のＹ方向の位置を特定することができない。これに対し、第１実施例では、図４に示すように、スポットＡ２のＹ方向の位置に応じて４つの電極１０２ｂ，１０２ｃ，１０３ｂ，１０３ｃの各々の電気抵抗値が差異を示すので、この差異に基づいてスポットＡ２のＹ方向の位置を特定することができる。
【００３１】
図６は、表示面１０１ａの温度分布の特定及び特定後の処理の流れの一例を示すフローチャートである。印加部１１０は、複数の電極１０２，１０３に電気信号を印加する（ステップＳ１）。検出部１２０は、ステップＳ１で印加された電気信号により生じる複数の電極１０２，１０３の電気抵抗値を検出する（ステップＳ２）。特定部１３５は、ステップＳ２で検出された電気的変化に基づいて、表示部１０１の温度分布を特定する（ステップＳ３）。
【００３２】
実行部１３６は、ステップＳ３で特定された表示部１０１の温度分布において所定温度以上である箇所があるか否か判定する（ステップＳ４）。所定温度以上である箇所がある場合（ステップＳ４；Ｙｅｓ）、実行部１３６は、判定コマンドを実行する。判定コマンドに応じ、判定部１３７は、所定温度以上である箇所が指定領域１０１ｇ内であるか否か判定を行う。具体的には、判定部１３７は、例えば、まずＸ方向について所定温度以上である箇所が指定領域１０１ｇ内であるか否か判定する（ステップＳ５）。Ｘ方向について所定温度以上である箇所が指定領域１０１ｇ内であると判定された場合（ステップＳ５；Ｙｅｓ）、判定部１３７は、Ｙ方向について所定温度以上である箇所が指定領域１０１ｇ内であるか否か判定する（ステップＳ６）。Ｙ方向について所定温度以上である箇所が指定領域１０１ｇ内であると判定された場合（ステップＳ６；Ｙｅｓ）、実行部１３６は、表示終了コマンドを実行する。表示終了コマンドに応じて、表示部１０１は、画像の表示を終了する（ステップＳ７）。所定温度以上である箇所がない場合（ステップＳ４；Ｎｏ）、Ｘ方向について所定温度以上である箇所が指定領域１０１ｇ内でないと判定された場合（ステップＳ５；Ｎｏ）又はＹ方向について所定温度以上である箇所が指定領域１０１ｇ内でないと判定された場合（ステップＳ６；Ｎｏ）表示部１０１の温度分布に応じた特段の動作制御は生じない。
【００３３】
以上、第１実施例によれば、複数の電極が、テーパーによる先細り側が第２方向（例えばＹ方向）に沿う一方側に向かう第１電極（例えば電極１０２）と先細り側が一方側の反対側に向かう第２電極（例えば電極１０３）とを有し、第１電極と第２電極とが第１方向（例えばＸ方向）に交互に並んで設けられる。このため、複数の電極の各々の電気抵抗値に基づいて第１方向の温度分布を特定することができると共に、第１電極の電気抵抗値と第２電極の電気抵抗値との差に基づいて第２方向の温度分布を特定することができる。このように、第１実施例によれば、表示面（例えば表示面１０１ａ）の温度分布を特定することができる。
【００３４】
また、表示面で所定温度以上になった箇所がある場合に所定のコマンドを実行することで、表示面の温度に応じた表示装置の動作制御を行うことができる。
【００３５】
また、表示面で所定温度以上になった箇所が指定領域（例えば指定領域１０１ｇ）内である場合に表示部による画像の表示を終了させることで、所定温度以上になったことにより生じ得る画像の表示に係る問題が指定領域内に現れることを抑止することができる。このため、指定領域内で画像の表示の乱れが許されない重要な表示が行われる場合等において、このような指定領域内において画像が表示されるときの画像の表示内容をより確実に正常な内容とすることができる。
【００３６】
また、複数の電極が透明電極であることで、画像を視認させるための光が電極に遮られることを抑止することができる。また、電極が表示部内に設けられることで、表示部と電極とを一体的に製造することができる。このため、表示装置（例えば表示装置１００）の組み立て工数をより削減することができることに加えて、表示装置をよりコンパクトにすることができる。
【００３７】
次に、図７及び図８を参照して、本発明の第２実施例について説明する。図７は、参照電極１０４を有する複数の電極１０２Ａ，１０３Ａ，１０４の形状及び配置例を示す図である。第２実施例による表示装置は、第１実施例における複数の電極１０２，１０３に代えて、複数の電極１０２Ａ，１０３Ａ，１０４が表示部１０１に設けられる点を除いて、第１実施形態と同様である。
【００３８】
第２実施例においては、複数の電極１０２Ａ，１０３Ａ，１０４を有する。電極１０４は、第２方向（例えばＹ方向）に沿う形状が一様である参照電極である。ここで、「一様」とは、第２方向に直交する方向の幅及び厚み（例えばＸ方向の幅及びＺ方向の厚み）又は第２方向に直交する断面形状の径が第２方向に沿って等しいことをさす。具体的には、電極１０４は、例えば図７に示すように、Ｙ方向が長手方向である長方形の形状を有する。電極１０４のＺ方向の厚みは、Ｙ方向全体に亘って均一である。
【００３９】
第２実施例における電極１０２Ａ，１０３Ａ，１０４は、第１実施例における電極１０２，１０３と同様に、長手方向がＹ方向に沿う薄膜状の電極である。第２実施例における電極１０２Ａ，１０３Ａは、第１実施例における電極１０２，１０３と同様に、第２方向（例えばＹ方向）の形状にテーパーがつけられている。ただし、第１実施例における電極１０２，１０３は等脚台形状のテーパー構造を有していたが、第２実施例における電極１０２Ａ，１０３Ａは、図７に示すように、直角三角形状のテーパー構造を有する。
【００４０】
参照電極である電極１０４は、第１方向（例えばＸ方向）に並んで設けられる第１電極（例えば電極１０２Ａ）と第２電極（例えば電極１０３Ａ）の間に配置される。具体的には、例えば図７に示すように、直角三角形状のテーパー構造を有する電極１０２Ａ，１０３Ａの辺のうち、直角を構成する一辺であってＹ方向に沿う辺同士の間に挟まれる位置に配置される。また、第２実施例では、電極１０２Ａ，１０３Ａのうち、直角に対向する辺である最も長い辺同士が隣接するように配置され、この間に参照電極である電極１０４は配置されない。このように、複数の参照電極１０４は、第１方向（例えばＸ方向）に並んで設けられる複数の第１電極（例えば電極１０２Ａ）と複数の第２電極（例えば電極１０３Ａ）の間に間欠的に配置される。図７に示すような複数の電極１０２Ａ，１０３Ａ，１０４の配置とすることで、複数の電極１０２Ａ，１０３Ａ，１０４同士の間隔を最小限にすることができる。すなわち、より高密度に複数の電極１０２Ａ，１０３Ａ，１０４を配置することができる。このため、参照電極を含む複数の電極を用いた温度分布の分解能がより向上する。
【００４１】
図８を参照して、第２実施例の表示面１０１ａにおける温度のむらと複数の電極１０２Ａ，１０３Ａ，１０４の電気抵抗値の検出結果との対応関係の例について説明する。図８では、区別の為に電極１０２Ａのうち左の電極１０２Ａから順に１０２Ａａ，１０２Ａｂ，１０２Ａｃ，１０２Ａｄの符号を付している。また、電極１０３Ａのうち左の電極１０３Ａから順に１０３Ａａ，１０３Ａｂ，１０３Ａｃ，１０３Ａｄの符号を付している。また、電極１０４のうち左の電極１０４から順に１０４ａ，１０４ｂ，１０４ｃ，１０４ｄの符号を付している。図８の下段に示すスポットＡ３は、Ｘ方向について表示面１０１ａの中央より右側１０１ｄの辺に寄った位置に存するとともに、Ｙ方向について下側の辺１０１ｃ側に寄った位置に存する。表示面１０１ａ内でスポットＡ３の温度が表示面１０１ａの他の部分より高い温度である場合、複数の電極１０２Ａ，１０３Ａ，１０４の各々の電気抵抗値の高低の関係は、図８の上段のようになる。すなわち、スポットＡ３に一部分が含まれる７つの電極１０２Ａｂ，１０２Ａｃ，１０３Ａｂ，１０３Ａｃ，１０４ｂ，１０４ｃ，１０４ｄの電気抵抗値は、スポットＡ３に全く含まれない他の電極１０２Ａａ，１０２Ａｄ，１０３Ａａ，１０３Ａｄ，１０４ａに比して高くなる。このうち、テーパー構造によって幅が相対的に大きい部分がスポットＡ３に含まれる２つの電極１０２Ａｂ，電極１０２Ａｃの電気抵抗値はより高くなる。一方、テーパー構造によって幅が相対的に小さい部分がスポットＡ３に含まれる２つの電極１０３Ａｂ，電極１０３Ａｃの電気抵抗値は、電極１０２Ａｂ，電極１０２Ａｃに比して低くなる。さらに、２つの電極１０２Ａｂ，電極１０２Ａｃのうち、スポットＡ３に含まれる電極の面積がより大きい電極１０２Ａｃの電気抵抗値は、電極１０２Ａｂの電気抵抗値に比してより高くなる。同様に、２つの電極１０３Ａｂ，電極１０３Ａｃのうち、スポットＡ３に含まれる電極の面積がより大きい電極１０３Ａｂの電気抵抗値は、電極１０３Ａｃの電気抵抗値に比してより高くなる。このように、複数の電極が、テーパーによる先細り側が一方側に向かう第１電極（例えば電極１０２）と先細り側がこの一方側の反対側に向かう第２電極（例えば電極１０３）とが交互に並んで設けられることで、スポットＡ３の位置に応じた複数の電極の電気抵抗値を検出することができる。さらに、Ｙ方向に沿う形状が一様な参照電極である１０４ａ，１０４ｂ，１０４ｃ，１０４ｄのうち、スポットＡ３に含まれる電極の面積がより大きい順（例えば電極１０４ｃ，１０４ｄ，１０４ｂ，１０４ａの順）に、電気抵抗値の高低が現れる。このような複数の参照電極（電極１０４ａ〜１０４ｄ）の各々の電気抵抗値は、スポットＡ３のＸ方向の位置に対応する。すなわち、複数の参照電極を設けることで、表示面１０１ａのＸ方向に関する温度分布をより容易に特定することができる。このように、第２実施例によれば、複数の電極１０２Ａ，１０３Ａ，１０４の電気抵抗値に基づいて、より容易に表示面１０１ａの温度分布を特定することができる。
【００４２】
なお、図８に示す電極１０４ａのように、一部の参照電極は必ずしも電極１０２Ａと電極１０３Ａとの間に挟まれる必要はない。参照電極は、第１方向（Ｘ方向）の温度分布を特定するにあたり必要とされた配置間隔で任意に配置することができる。
【００４３】
以上、第２実施例によれば、第２方向（例えばＹ方向）に沿う形状が一様である参照電極（例えば電極１０４）が第１方向（例えばＸ方向）に並んで設けられる第１電極（例えば電極１０２Ａ）と第２電極（例えば電極１０３Ａ）の間に配置される。このため、参照電極の電気抵抗値に基づいて第１方向に関する温度分布をより容易に特定することができる。よって、より容易に表示面（例えば表示面１０１ａ）の温度分布を特定することができる。
【００４４】
また、複数の参照電極が第１方向に並んで設けられる複数の第１電極と複数の第２電極の間に間欠的に配置されることで、第１電極及び第２電極が設けられるスペースを逼迫させることなく参照電極を配置することができる。
【００４５】
次に、図９〜図１５を参照して、上記の実施例で説明した表示装置の適用例について説明する。上記の実施例で説明した表示装置は、ヘッドアップディスプレイ（ＨＵＤ）、車載表示装置、スマートフォンその他のあらゆる分野の電子機器に適用することが可能である。言い換えると、係る表示装置は、外部から入力された映像信号あるいは内部で生成した映像信号を、画像あるいは映像として表示するあらゆる分野の電子機器に適用することが可能である。
【００４６】
（適用例１）
図９は、本発明の表示装置が適用されるＨＵＤ１を示す概略図である。ＨＵＤ１は、乗用車、バス又はトラック等の車両に搭載されて、投影面、例えば、車両のウインドシールドに情報を表示する。車両の運転者Ｍは、前景からほとんど視線を逸らさずに、ウインドシールドＷに表示された情報を視認することができる。
【００４７】
ＨＵＤ１は、表示装置１００と、ミラーＭｉと、を含む。表示装置１００は、光源Ｌｉと、複数の電極（例えば複数の電極１０２，１０３又は複数の電極１０２Ａ，１０３Ａ，１０４）が設けられた表示部１０１と、図９では図示しない上記の表示装置１００が備える各部を含む。光源Ｌｉは、例えば、ＬＥＤ（Light  Emitting  Diode）であるが、これに限定されるものではない。表示部１０１は、液晶表示パネルであるが、これに限定されるものではない。ミラーＭｉは、表示装置の画像を投影面、例えば、ウインドシールドＷに投影するためのものであり、凹面鏡である。なお、ミラーＭｉは、必須の構成ではなく、直接ウインドシールドＷに表示装置の画像が投影される形でもよい。また、ミラーＭｉを複数経由してウインドシールドＷに投影されてもよい。ＨＵＤ１は、ウインドシールドＷ及びミラーＭｉと対向する位置に、開口部Ｏｐを有している。
【００４８】
表示部１０１が投影した画像Ｐは、ミラーＭｉによって反射されて、開口部Ｏｐを通過してウインドシールドＷに投影される。ミラーＭｉは、画像Ｐを拡大してウインドシールドＷに投影する。運転者Ｍは、ウインドシールドＷを通して、表示部１０１が投影した画像Ｐの虚像ＰＩを視認する。
【００４９】
車両のウインドシールドＷは、太陽Ｓからの光（太陽光）ＬＳが照射される。ウインドシールドＷに照射された太陽光ＬＳは、ＨＵＤ１の開口部Ｏｐを通過してミラーＭｉで反射され、表示部１０１に照射される。前述したように、ミラーＭｉは、表示部１０１が表示した画像Ｐを反射する際に拡大してウインドシールドＷに投影する。このため、ウインドシールドＷからの太陽光ＬＳは、ミラーＭｉで縮小して表示部１０１に照射される。
【００５０】
表示部１０１は、太陽光ＬＳに含まれる赤外線によって昇温する。太陽光ＬＳは、ミラーＭｉで集光されるため、表示部１０１に照射される赤外線のエネルギー密度が大きくなる。表示部１０１は、車両のフロントパネルＩＰ内に収納されるため、熱がこもりやすい環境で使用される。このため、表示部１０１は、昇温しやすい環境で使用される。一方、太陽光ＬＳが入射しない低温の環境下に置かれた場合、表示部１０１の温度も低い温度になる。表示装置１００は、上記の第１実施例による表示装置であることから、表示部１０１の温度に応じた動作制御を行うことができる。
【００５１】
なお、このようなＨＵＤ１では、太陽光ＬＳが入射する環境下においてミラーＭｉで集光される太陽光ＬＳが表示部１０１の表示面１０１ａの中央部分により集中しやすい傾向がある。このため、温度が上昇しやすい表示面１０１ａのＸ方向の中央部等のみに電極を配置するようにしてもよい。また、表示面１０１ａにおいて、Ｘ方向について全体的に電極を配置しつつ、このような一部分により多くの電極を集中的により高密度で配置するようにしてもよい。
【００５２】
（適用例２）
本発明を構成する電極と、タッチ検出のための電極とは、共用の関係にあることができる。具体的には、静電容量タッチパネルにおけるタッチ検出電極を、本発明を構成する電極として用いることができる。すなわち、本発明による表示装置において、入力機能に関する電極と温度分布の特定に関する電極とを共用することができる。
【００５３】
以下、本発明の表示装置の一例であって、本発明の発明特定事項である電極として静電容量タッチパネルにおけるタッチ検出電極を用いる場合の一例について、図１０〜図１３を参照して説明する。図１０は、タッチ検出機能付き表示装置１００Ａの主要機能に係る構成を示すブロック図である。タッチ検出機能付き表示装置１００Ａは、例えば第１実施例（又は第２実施例）の構成における表示部１０１の構成に代えて、タッチ検出機能付き表示部１０１Ａを備える。また、タッチ検出機能付き表示装置１００Ａは、タッチ検出回路３２０を備える。タッチ検出回路３２０は、表示面に対する外部からの接触又は近接走査により生じる静電容量の変化によりタッチ検出電ＴＤＬに生じる信号（タッチ検出信号）を検出することで、タッチ検出を行う。タッチ検出回路３２０は、タッチ検出機能付き表示部１０１Ａに接続されたＦＰＣ（例えばＦＰＣ５）等を介して接続された外部の基板上に設けられた回路として実装される。
【００５４】
図１１は、本発明の実施の形態に係るタッチ検出機能付き表示部１０１Ａの一構成例を表すものである。図１２は、図１１の要部（部分Ｂ１）の断面構造の例を表すものである。このタッチ検出機能付き表示部１０１Ａは、表示素子として液晶表示素子を用いており、その液晶表示素子により構成される液晶表示デバイスと静電容量式のタッチ検出デバイスとを一体化した、いわゆるインセルタイプの装置である。タッチ検出機能付き表示部１０１Ａは、画素基板２と、対向基板３と、ＦＰＣ５と、液晶層６と、シール４と、バックライトＢＬとを備えている。
【００５５】
画素基板２は、図１２に示したように、回路基板としてのＴＦＴ基板２１と、共通電極ＣＯＭＬと、画素電極ＥＰＩＸとを有している。ＴＦＴ基板２１は、各種電極や配線、薄膜トランジスタ（ＴＦＴ；Thin  Film  Transistor）などが形成される回路基板として機能するものである。ＴＦＴ基板２１は例えばガラスにより構成されるものである。ＴＦＴ基板２１の上には、絶縁膜２２が形成され、その上に信号線ＳＧＬが形成されている。信号線ＳＧＬの上には、例えばアクリル系有機樹脂により構成される平坦化膜２３が形成され、その上に共通電極ＣＯＭＬが形成される。共通電極ＣＯＭＬは、複数の画素Ｐix（図示せず）に共通の電圧を供給するための電極であり、透光性を有するものである。また、共通電極ＣＯＭＬは、タッチセンサにおいて、交流矩形波Ｓｇを印加する電極としても用いられる。すなわち、共通電極ＣＯＭＬは、静電容量式タッチ検出を行う入力装置の駆動電極に対応するものである。共通電極ＣＯＭＬの上には絶縁膜２４が形成され、その上に画素電極ＥＰＩＸが形成される。画素電極ＥＰＩＸは、表示を行うための画素信号を供給するための電極であり、透光性を有するものである。共通電極ＣＯＭＬおよび画素電極ＥＰＩＸは、例えばＩＴＯにより構成される。画素電極ＥＰＩＸの上には、配向膜２５が形成されている。
【００５６】
対向基板３は、図１２に示したように、ガラス基板３１と、カラーフィルタ３２と、タッチ検出線ＴＤＬとを有している。カラーフィルタ３２は、ガラス基板３１の一方の面に形成されている。このカラーフィルタ３２は、例えば赤（Ｒ）、緑（Ｇ）、青（Ｂ）の３色のカラーフィルタ層をブラックマトリックス（ＢＬＫ）とともに周期的に配列して構成したもので、各表示画素にＲ、Ｇ、Ｂの３色が１組として対応付けられている。カラーフィルタ３２の一例として、Ｒ、Ｇ、Ｂ３色一組の例を実施例で挙げたが、白や他の３色（例えばＲ、Ｇ、Ｂ等）の補色（例えば、シアン、マゼンタ、イエロー等）を用いて４色一組としてもよい。カラーフィルタ３２の上には、例えばアクリル系樹脂により構成される平坦化膜３３が形成され、その上に配向膜３４が形成されている。また、ガラス基板３１の他方の面には、タッチ検出電極ＴＤＬが一方向に延在するように並設されている。タッチ検出電極ＴＤＬは、タッチセンサにおいて、表示面１０１Ａａに対する外部からの接触又は近接走査により生じる静電容量の変化により生じる信号（タッチ検出信号）を出力する電極である。タッチ検出電極ＴＤＬは、例えばＩＴＯにより構成され、透光性を有する電極である。タッチ検出電極ＴＤＬには、図１１に示したように端子部ＰＡＤが形成され、この端子部ＰＡＤを介してＦＰＣ５に接続されるようになっている。
【００５７】
ＦＰＣ５は、タッチ検出電極ＴＤＬのタッチ検出信号を外部に取り出すためのフレキシブルプリント基板である。このＦＰＣ５は、対向基板３の１辺に配置され、タッチ検出電極ＴＤＬと、端子部ＰＡＤを介して接続される。ＦＰＣ５は、例えば、後述するスイッチ３１１を介して検出部１２０，タッチ検出回路３２０又は固定電位３３０に接続される。また、ＦＰＣ５は、例えば、後述するスイッチ３１２を介して印加部１１０に接続される（図１３参照）。
【００５８】
なお、図１１ではタッチ検出電極ＴＤＬの形状が第１実施例における電極１０２，１０３の形状に対応するものになっているが、第２実施形態における電極１０２Ａ，１０３Ａ，１０４に対応するものであってもよい。また、図１１では、タッチ検出ＴＤＬを挟んでＦＰＣ５に対向する側の配線Ｌの図示を省略している。
【００５９】
液晶層６は、表示機能層として機能するものであり、電界の状態に応じてそこを通過する光を変調するものである。この電界は、共通電極ＣＯＭＬの電圧と画素電極ＥＰＩＸの電圧との電位差により形成される。液晶層６には、ＩＰＳ（インプレーンスイッチング）等の横電界モードの液晶が用いられる。
【００６０】
シール４は、液晶層６を画素基板２と対向基板３との間に封止するものである。シール４の材料は、例えばエポキシ樹脂が使用される。このシール４は、画素基板２および対向基板３の外縁部分４１に形成されている。
【００６１】
バックライトＢＬは、液晶層６が設けられた表示領域に対して画素基板２側から光を照射するものである。バックライトＢＬは、例えば複数の発光ダイオード（ＬＥＤ）と導光板とを有する。複数のＬＥＤから発せられた光は、導光板により面領域からの発光となるように導かれる。
【００６２】
図１３は、タッチ検出電極ＴＤＬに対する電気的接続の構成の一例を示す図である。図１３では、一つのタッチ検出電極ＴＤＬに関する電気的接続のみ示しているが、この電気的接続は温度に関する処理に用いられる全てのタッチ検出電極ＴＤＬに共通である。一つのスイッチ３１１は、ＦＰＣ５及び端子部ＰＡＤを介して接続されたタッチ検出電極ＴＤＬに対して、検出部１２０、タッチ検出回路３２０又は固定電位３３０のいずれかを選択的に接続する。スイッチ３１２は、ＦＰＣ５及び端子部ＰＡＤを介して接続されたタッチ検出電極ＴＤＬに対する印加部１１０の接続又は非接続を切り替える。スイッチ３１２は、例えばスイッチ３１１により検出部１２０がタッチ検出電極ＴＤＬに接続された場合にのみ印加部１１０をタッチ検出電極ＴＤＬに接続し、それ以外の場合には非接続にする。スイッチ３１１及びスイッチ３１２は配線Ｌに含まれる構成としてタッチ検出電極ＴＤＬに接続される。スイッチ３１１，３１２により、タッチ検出回路３２０によるタッチ検出を行う場合にタッチ検出回路３２０をタッチ検出電極ＴＤＬに接続し、タッチ検出電極ＴＤＬの温度に関する処理を行う場合に印加部１１０及び検出部１２０をタッチ検出電極ＴＤＬに接続することができる。また、スイッチ３１１により固定電位３３０をタッチ検出電極ＴＤＬに接続することで、タッチ検出や温度に関する処理によるタッチ検出電極ＴＤＬの電気的変化をリセットすることができ、表示面１０１Ａａに対する静電気が表示装置に与える影響をシールドするシールド電極とすることができる。
【００６３】
タッチ検出機能付き表示部１０１Ａのうち、駆動電極（例えば共通電極ＣＯＭＬ）、タッチ検出電極ＴＤＬ及びタッチ検出回路３２０が入力装置として機能する。これに、図１３等に示す印加部１１０及び検出部１２０との接続ならびに各実施例で説明した実行部１３６（例えば制御部１３０）の機能を組み合わせることで、本発明の入力装置として機能する。
【００６４】
上記で説明したタッチ検出機能付き表示部１０１Ａはあくまでシールド電極としても機能するタッチ検出電極を有する構成の一例であって、本発明の電極として共用可能なタッチ検出電極及びシールド電極はこれに限られるものでなく、その具体的態様について適宜変更可能である。例えば、上記のタッチ検出電極ＴＤＬのように配される電極がタッチ検出機能を有さず、シールド電極として利用されている場合であっても、このシールド電極と温度情報の取得に係る電極とを共用することができる。
【００６５】
図１４は、本発明の表示装置が適用される車載表示装置の外観の一例を示す図である。図１４に示す車載表示装置は、本実施形態に係るタッチ検出機能付き表示装置１００Ａが適用されるカーナビゲーション装置である。タッチ検出機能付き表示装置１００Ａは、自動車の車内のダッシュボード８００に設置される。具体的には、例えばダッシュボード８００の運転席８１１と助手席８１２の間に設置される。カーナビゲーション装置のタッチ検出機能付き表示装置１００Ａは、ナビゲーション表示、音楽操作画面の表示、又は、映画再生表示等に利用される。
【００６６】
（適用例３）
図１５は、本発明の表示装置が適用されるスマートフォン７００の外観の一例を示す図である。スマートフォン７００は、例えばその筐体７１０の一面に設けられた表示装置７２０を備える。表示装置７２０は、例えばタッチ検出機能付き表示装置１００Ａにより構成されている。
【００６７】
（その他）
上記の実施例においては、開示例として液晶表示装置の場合を例示したが、その他の適用例として、有機ＥＬ表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることは言うまでもない。
【００６８】
検出部１２０は、電気抵抗値を検出する構成に限られない。複数の電極１０２，１０３等の電気抵抗値に応じた電圧若しくは電流の値と表示面１０１ａ，１０１Ａａの温度分布との間にも、電気抵抗値と表示面１０１ａ，１０１Ａａの温度分布との間と同様の相関がある。よって、電気抵抗値に応じた電圧若しくは電流の値と表示面１０１ａ，１０１Ａａの温度分布との対応関係を示すデータを用いることで、電圧若しくは電流の値から表示面１０１ａ，１０１Ａａの温度分布を特定することができる。この場合、検出部１２０は、このデータの対応関係に含まれるパラメータ（電圧又は電流）を複数の電極１０２，１０３等から検出する。
【００６９】
本発明の一構成として設けられる複数の電極の素材はＩＴＯに限られない。複数の電極は、例えば銅（Ｃｕ）等を用いたメタル電極であってもよい。なお、電極の電気抵抗値等の電気的特性は、電極を構成する素材に応じて変化する。ここで、より低抵抗の素材が電極に用いられた場合、電極を含む回路の時定数がより小さくなる。この場合、印加部１１０から印加される電気信号により生じる電気抵抗値（又は電流若しくは電圧）を検出可能な時間がより短くなる。よって、検出部１２０の時間分解能は、電極の素材に応じて決定されることが好ましい。
【００７０】
図２等に示す複数の電極の数及び形状はあくまで模式的なものであってこれに限られるものでない。例えば、複数の電極を用いた温度分布の分解能は、複数の電極の各々の幅及び複数の電極が並んで設けられる間隔に応じ、これらの設計事項が許す範囲内において任意である。また、テーパーは、第２方向の厚み又は径の変化によりつけられてもよい。また、テーパー構造による先細りの度合いは線形であることに限定されず、指数関数的な湾曲等を描いていてもよい。また、参照電極の配置は、間欠配置でなくてもよく、第１電極と第２電極の間に必ず設けられていてもよい。また、参照電極は、例えば第１電極と第２電極のテーパーの角度に応じてＹ方向に傾斜又は湾曲していてもよい。このような傾斜又は湾曲を有することで、第１方向に並んで設けられる複数の電極の密度をより向上させやすくなる。
【００７１】
上記の各実施例におけるコマンドはあくまで一例であってこれに限られるものでない。例えば、冷却部をさらに設けて、表示面１０１ａ，１０１Ａａの温度が所定温度（要冷却温度）以上になった場合にこの冷却部を動作させて表示部１０１を冷却するためのコマンドを実行部１３６に出力させるようにしてもよい。また、所定温度（例えば表示終了温度）以上の箇所が生じた場合、当該箇所に対応する部分の表示領域の表示内容を所定の内容（例えば単色表示等）に切り替えるようにしてもよい。その後、この部分の表示内容をこの所定の内容で維持することで、高温時に表示内容が切り替わることに応じて生じ得る表示内容の乱れの発生を抑制することができる。また、他の部分の表示領域で通常の表示を行うことで、表示装置を継続して動作させることができる。また、表示部１０１による表示を終了させるためのコマンドに代えて、温度の上昇に応じて段階的に表示部１０１のバックライト（例えばバックライトＢＬ）の輝度を下げる（又はＯＦＦする）ようにしてもよい。冷却部による冷却やバックライトの輝度制御において、温度の上昇に応じて段階的に変化させるようにしてもよい。また、複数の電極による温度分布の特定の分解能（範囲の細分化）に対応した単位でバックライトを個別に制御可能とし、温度が上昇した部分のバックライトのみ制御対象とするコマンドを実行部１３６に出力させるようにしてもよい。冷却部による冷却箇所についても、同様に温度が上昇した部分に対して局所的な冷却を行うための構成（例えば集風器、風向変更部等）を設けてもよい。また、例えば、音声等により警告を発する警告部を備え、所定温度以上の箇所が生じた場合に、音声等により警告を発するようにしてもよい。
【００７２】
また、上記の実施例における特定部１３５等として機能する制御部１３０は、演算部１３２が記憶部１３１からプログラムを読み出して実行処理する所謂ソフトウェア処理を行っているが、これは特定部１３０の実装の一例であってこれに限られるものでない。制御部１３０は、例えばＡＳＩＣ（application  specific  integrated  circuit）等の集積回路のようなハードウェアであってもよい。また、特定部１３５，実行部１３６及び判定部１３７の一部又は全部が個別に設けられていてもよい。
【００７３】
また、本実施形態において述べた態様によりもたらされる他の作用効果について本明細書の記載から明らかなもの、又は当業者において適宜想到し得るものについては、当然に本発明によりもたらされるものと解される。
【符号の説明】
【００７４】
１００    表示装置
１０１    表示部
１０１ａ  表示面
１０２，１０２Ａ，１０３，１０３Ａ，１０４  電極
１１０    印加部
１２０    検出部
１３０    制御部
１３５    特定部
１３６    実行部
１３７    判定部
【図１】
2016018188.tif 000003
【図２】
2016018188.tif 000004
【図３】
2016018188.tif 000005
【図４】
2016018188.tif 000006
【図５】
2016018188.tif 000007
【図６】
2016018188.tif 000008
【図７】
2016018188.tif 000009
【図８】
2016018188.tif 000010
【図９】
2016018188.tif 000011
【図１０】
2016018188.tif 000012
【図１１】
2016018188.tif 000013
【図１２】
2016018188.tif 000014
【図１３】
2016018188.tif 000015
【図１４】
2016018188.tif 000016
【図１５】
2016018188.tif 000017